(57)【要約】【課題】変倍時の像点位置ズレを簡単・コンパクトな構成で容易に調整することの可能なレンズユニットを提供する。【解決手段】焦点補正機構Ｃ１として、補正筒４，回転防止ピン６等を備える。筒形状の補正筒４は、第１，第２回転筒１，２の外側からの操作が可能であって、第１，第２回転筒１，２間で光軸ＡＸと同軸上に配置されており、回転防止ピン６は、第１，第２回転筒１，２が相対的に回転しないように第１，第２回転筒１，２間に配置されている。補正筒４には光軸ＡＸ方向の両側にねじ部４ａ，４ｂが設けられており、そのうちの片側のねじ部４ｂが逆ねじに構成されている。第１回転筒１には補正筒４の一方のねじ部４ａと螺合するねじ部１ａが設けられており、第２回転筒２には補正筒４の他方のねじ部４ｂと螺合するねじ部２ａが設けられている。【選択図】図２
2012247702.tif 000002
【特許請求の範囲】
【請求項１】
複数のレンズから成るレンズ系と、前記レンズ系の一部を成すレンズ群が内部に配置されるとともに前記レンズ系の光軸方向に沿って直進溝が形成された固定筒と、前記固定筒の外周上に位置するとともに固定筒の外周面に沿って回動可能に支持されたカム筒と、前記レンズ群を構成するレンズを保持する複数のレンズ保持枠と、を備え、前記レンズ保持枠のうちの少なくとも１つが前記カム筒の回動によって光軸方向に移動するように構成されたレンズユニットであって、
前記カム筒が少なくとも一方にカム溝を有する第１回転筒及び第２回転筒から成り、前記カム筒の回動によって光軸方向に移動するレンズ保持枠が前記直進溝と前記カム溝とで保持されており、
前記第１，第２回転筒を、相対的に回転させることなく、かつ、光軸方向に相対的に移動させる焦点補正機構を備えたことを特徴とするレンズユニット。
【請求項２】
前記焦点補正機構として、前記第１，第２回転筒の外側からの操作が可能であって前記第１，第２回転筒間で光軸と同軸上に配置された筒形状の補正筒と、前記第１，第２回転筒が相対的に回転しないように前記第１，第２回転筒間に配置された回転防止部材と、を備え、前記補正筒には光軸方向の両側にねじ部が設けられており、そのうちの片側のねじ部が逆ねじに構成されており、前記第１回転筒には前記補正筒の一方のねじ部と螺合するねじ部が設けられており、前記第２回転筒には前記補正筒の他方のねじ部と螺合するねじ部が設けられていることを特徴とする請求項１記載のレンズユニット。
【請求項３】
前記ねじ部がヘリコイドねじであることを特徴とする請求項２記載のレンズユニット。
【請求項４】
前記回転防止部材が、前記第１，第２回転筒間において円周上の光軸平行に複数配置された棒状の回転防止ピンから成り、前記第１，第２回転筒が相対的に回転しないように、前記第１，第２回転筒のそれぞれの端面において光軸方向に形成された穴に前記回転防止ピンが略嵌合していることを特徴とする請求項２又は３記載のレンズユニット。
【請求項５】
前記回転防止部材が、前記第１，第２回転筒間において円周上に複数配置されたキー状部材から成り、前記第１，第２回転筒が相対的に回転しないように、前記第１，第２回転筒のそれぞれの端面において光軸方向に形成されたキー溝に前記キー状部材が差し込まれていることを特徴とする請求項２又は３記載のレンズユニット。
【請求項６】
前記焦点補正機構として、前記第１，第２回転筒の外側からの操作が可能な複数の調整ねじと、前記第１，第２回転筒を光軸方向に沿って互いに近づけるように付勢する複数の付勢部材と、を前記第１，第２回転筒間において円周上に備え、前記調整ねじの一方の端部にはねじ部が設けられており、前記調整ねじの他方の端部には支持部が設けられており、前記第１，第２回転筒のうち、一方には前記ねじ部と螺合するねじ穴が設けられており、他方には前記付勢部材により付勢された前記支持部で押圧される凹部又は穴が設けられていることを特徴とする請求項１記載のレンズユニット。
【請求項７】
前記調整ねじが歯車部を外周面に有し、前記焦点補正機構として、前記第１，第２回転筒の外周上に位置するとともに光軸中心に回動可能に配置され、かつ、前記調整ねじを第１，第２回転筒の外側から操作可能とするために前記歯車部と噛合する歯車操作環を更に備えたことを特徴とする請求項６記載のレンズユニット。
【発明の詳細な説明】
【技術分野】
【０００１】
本発明は焦点補正機能を有するレンズユニットに関するものであり、例えば、投射レンズや撮像レンズとしてズームレンズを備え、その焦点補正を鏡筒の組立後に行うことが可能なレンズユニットに関するものである。
【背景技術】
【０００２】
ズームレンズの鏡筒において、変倍時に像の焦点位置がずれる場合には、特定のレンズ間隔を調整する必要がある。調整箇所がフォーカス群である場合には、レンズ組込後にフォーカス環を回転させて像点位置を調整する方法を採用することは可能である。しかし、カム筒の回転によって移動するフォーカス群がカム曲線に沿って非線形に移動するような場合、この方法で調整するとフォーカス指標の間隔と実際のフォーカス群の動きとにズレが生じてしまう。特にフォーカス群が２群以上で構成されている場合、この傾向が顕著になる。このような場合には鏡筒を分解してフォーカス群をカム筒から取り出し、スペーサー等を利用して空気間隔を変更し、再び組み立てて性能を確認する必要が生じる。このため、非常に組立工数が増えてしまう。
【０００３】
上記課題を解決することを目的としたレンズ鏡胴が、特許文献１で提案されている。特許文献１記載のズーム式レンズ鏡胴は、変倍レンズと補正レンズを移動させる外カム筒を分割して、第１のカム溝と第２のカム溝との相対位置を変更自在に構成した構成になっている。
【先行技術文献】
【特許文献】
【０００４】
【特許文献１】特開２０００−２８４１６３号公報
【発明の概要】
【発明が解決しようとする課題】
【０００５】
しかし、特許文献１記載の構成では、移動群を収納している鏡筒の外部に、外カム筒を並列に配置するスペースが必要になる。また、マニュアルフォーカス操作には、鏡筒の外部に配置されている外カム筒を回転操作することは適していない。したがって、特許文献１に記載の鏡胴構成を採用すれば、レンズユニット全体の大型化及び複雑化を招くことになる。
【０００６】
本発明はこのような状況に鑑みてなされたものであって、その目的は、変倍時の像点位置ズレを簡単かつコンパクトな構成で容易に調整することの可能なレンズユニットを提供することにある。
【課題を解決するための手段】
【０００７】
上記目的を達成するために、第１の発明のレンズユニットは、複数のレンズから成るレンズ系と、前記レンズ系の一部を成すレンズ群が内部に配置されるとともに前記レンズ系の光軸方向に沿って直進溝が形成された固定筒と、前記固定筒の外周上に位置するとともに固定筒の外周面に沿って回動可能に支持されたカム筒と、前記レンズ群を構成するレンズを保持する複数のレンズ保持枠と、を備え、前記レンズ保持枠のうちの少なくとも１つが前記カム筒の回動によって光軸方向に移動するように構成されたレンズユニットであって、前記カム筒が少なくとも一方にカム溝を有する第１回転筒及び第２回転筒から成り、前記カム筒の回動によって光軸方向に移動するレンズ保持枠が前記直進溝と前記カム溝とで保持されており、前記第１，第２回転筒を、相対的に回転させることなく、かつ、光軸方向に相対的に移動させる焦点補正機構を備えたことを特徴とする。
【０００８】
第２の発明のレンズユニットは、上記第１の発明において、前記焦点補正機構として、前記第１，第２回転筒の外側からの操作が可能であって前記第１，第２回転筒間で光軸と同軸上に配置された筒形状の補正筒と、前記第１，第２回転筒が相対的に回転しないように前記第１，第２回転筒間に配置された回転防止部材と、を備え、前記補正筒には光軸方向の両側にねじ部が設けられており、そのうちの片側のねじ部が逆ねじに構成されており、前記第１回転筒には前記補正筒の一方のねじ部と螺合するねじ部が設けられており、前記第２回転筒には前記補正筒の他方のねじ部と螺合するねじ部が設けられていることを特徴とする。
【０００９】
第３の発明のレンズユニットは、上記第２の発明において、前記ねじ部がヘリコイドねじであることを特徴とする。
【００１０】
第４の発明のレンズユニットは、上記第２又は第３の発明において、前記回転防止部材が、前記第１，第２回転筒間において円周上の光軸平行に複数配置された棒状の回転防止ピンから成り、前記第１，第２回転筒が相対的に回転しないように、前記第１，第２回転筒のそれぞれの端面において光軸方向に形成された穴に前記回転防止ピンが略嵌合していることを特徴とする。
【００１１】
第５の発明のレンズユニットは、上記第２又は第３の発明において、前記回転防止部材が、前記第１，第２回転筒間において円周上に複数配置されたキー状部材から成り、前記第１，第２回転筒が相対的に回転しないように、前記第１，第２回転筒のそれぞれの端面において光軸方向に形成されたキー溝に前記キー状部材が差し込まれていることを特徴とする。
【００１２】
第６の発明のレンズユニットは、上記第１の発明において、前記焦点補正機構として、前記第１，第２回転筒の外側からの操作が可能な複数の調整ねじと、前記第１，第２回転筒を光軸方向に沿って互いに近づけるように付勢する複数の付勢部材と、を前記第１，第２回転筒間において円周上に備え、前記調整ねじの一方の端部にはねじ部が設けられており、前記調整ねじの他方の端部には支持部が設けられており、前記第１，第２回転筒のうち、一方には前記ねじ部と螺合するねじ穴が設けられており、他方には前記付勢部材により付勢された前記支持部で押圧される凹部又は穴が設けられていることを特徴とする。
【００１３】
第７の発明のレンズユニットは、上記第６の発明において、前記調整ねじが歯車部を外周面に有し、前記焦点補正機構として、前記第１，第２回転筒の外周上に位置するとともに光軸中心に回動可能に配置され、かつ、前記調整ねじを第１，第２回転筒の外側から操作可能とするために前記歯車部と噛合する歯車操作環を更に備えたことを特徴とする。
【発明の効果】
【００１４】
本発明に係るレンズユニットは、固定筒の外周面に沿って回動可能に支持されたカム筒が少なくとも一方にカム溝を有する第１，第２回転筒から成っており、焦点補正機構を用いて、第１，第２回転筒を、相対的に回転させることなく、かつ、光軸方向に相対的に移動させる構成を有している。この構成により、カム筒の回動によって光軸方向に移動するレンズ保持枠の光軸上の相対位置を、第１，第２回転筒の相対的な回転無しに変更することができる。このため、レンズユニットの組立後にレンズ群を分解しなくても所定のレンズ間隔を変更することができ、変倍時の像点位置ズレを調整することができる。したがって、変倍時の像点位置ズレを簡単かつコンパクトな構成で容易に調整することが可能である。
【００１５】
焦点補正機構として、第１，第２回転筒のねじ部と螺合するねじ部を光軸方向の両側に有する補正筒と、第１，第２回転筒が相対的に回転しないように第１，第２回転筒間に配置された回転防止部材と、を備えた構成にすれば、第１，第２回転筒は円周方向にのみ相対的な回転が規制され、第１，第２回転筒に対する補正筒の光軸中心の回転によって、第１，第２回転筒の光軸方向の相対位置を変更することが可能となる。ねじ部としてヘリコイドねじを用いれば、第１，第２回転筒が相対移動する際の直進性を確保することができる。回転防止部材として棒状の回転防止ピンやキー状部材を用いれば、第１，第２回転筒の相対的な回転を効果的に抑えながら、光軸方向の相対的な移動を円滑に行うことができる。
【００１６】
焦点補正機構として、ねじ部及び支持部を有する調整ねじと、第１，第２回転筒を光軸方向に沿って互いに近づけるように付勢する複数の付勢部材（例えば、引っ張りコイルバネ）と、を備えた構成にすれば、第１，第２回転筒は円周方向にのみ相対的な回転が規制され、第１，第２回転筒に対する調整ねじの回転によって、第１，第２回転筒の光軸方向の相対位置を変更することが可能となる。また、調整ねじの外周面に歯車部を設けて歯車操作環と噛合する構成にすれば、複数の調整ねじの操作を歯車操作環で行うことができるため、操作性の向上が可能となる。
【図面の簡単な説明】
【００１７】
【図１】レンズユニットの第１の実施の形態を示す断面図。
【図２】図１の要部を示す拡大断面図。
【図３】レンズユニットの第２の実施の形態の要部を示す拡大断面図。
【図４】図３の要部を示す拡大断面図。
【図５】レンズユニットの第３の実施の形態の要部を示す拡大断面図。
【図６】レンズユニットの第４の実施の形態の要部を示す拡大断面図。
【図７】レンズユニットの第５の実施の形態の要部を示す拡大断面図。
【図８】レンズユニットの第６の実施の形態の要部を示す拡大断面図。
【発明を実施するための形態】
【００１８】
以下、本発明を実施したレンズユニットを、図面を参照しつつ説明する。なお、各実施の形態等の相互で同一の部分や相当する部分には同一の符号を付して重複説明を適宜省略する。
【００１９】
本発明に係るレンズユニットは、レンズ系が組み立てられた状態で変倍時の像点位置ズレを補正するための焦点補正機能を有するものである。以下に説明する各実施の形態では、レンズユニットに搭載されているレンズ系を撮像ズームレンズ（例えばカメラ用の交換ズームレンズ）としているが、レンズ系として投射ズームレンズ（例えばシネマプロジェクタ用の交換ズームレンズ）を搭載した場合でも同様の焦点補正機能を持たせることが可能である。
【００２０】
〈第１の実施の形態（図１，図２）〉
図１及び図２に、第１の実施の形態のレンズユニットＵ１及び焦点補正機構Ｃ１を示す。図１は、レンズ系として撮像ズームレンズＬＮが搭載されたレンズユニットＵ１の概略断面構造を示しており、図２は、レンズユニットＵ１において焦点補正機構Ｃ１が搭載されている部分を拡大して示している。
【００２１】
図１に示すレンズユニットＵ１は、撮像ズームレンズＬＮ，第１回転筒１，第２回転筒２，固定筒３，フォーカス環５，レンズ保持枠９Ａ，９Ｂ，焦点補正機構Ｃ１等を備えている。複数のレンズから成る撮像ズームレンズＬＮは、複数のレンズ群をズーム群（移動群及び固定群）として有している。撮像ズームレンズＬＮを構成しているレンズのうち、物体側から３枚目と４枚目のレンズＬＡ，ＬＢがズーム群としての第２群を構成しており、その第２群がフォーカス群ＧｒＦとして光軸ＡＸに沿って移動することによりフォーカシングが行われる。
【００２２】
フォーカス群ＧｒＦ及び後続の複数のズーム群は、固定筒３の内周側に配置されている。固定筒３には、図２に示すように、光軸ＡＸ方向に沿って直進溝３Ｖが形成されている。固定筒３の外周上には、固定筒３の外周面に沿って回動可能に支持された第１回転筒１及び第２回転筒２がカム筒として配置されており、第１回転筒１及び第２回転筒２には、周面にカム溝１Ｖ，２Ｖが非線形に形成されている。
【００２３】
フォーカス群ＧｒＦを構成している物体側レンズＬＡと像側レンズＬＢのうち、物体側レンズＬＡはレンズ保持枠９Ａに保持されており、像側レンズＬＢはレンズ保持枠９Ｂに保持されている。レンズ保持枠９Ａ，９Ｂの円周３等分位置には、光軸ＡＸに対して垂直方向に突き出たカムフォロア８Ａ，８Ｂがそれぞれ設けられている。これらのカムフォロア８Ａ，８Ｂは、固定筒３の直進溝３Ｖと第１，第２回転筒１，２のカム溝１Ｖ，２Ｖとで、光軸ＡＸ方向に挟持された状態に保持されている。つまり、レンズ保持枠９Ａ，９Ｂとそれに保持されている物体側レンズＬＡ及び像側レンズＬＢは、直進溝３Ｖとカム溝１Ｖ，２Ｖとで保持されている。
【００２４】
図１に示すように、第１，第２回転筒１，２の外周に連結されているフォーカス環（カム環）５を光軸ＡＸ中心に回転させると、直進溝３Ｖとカム溝１Ｖ，２Ｖとの交点が光軸ＡＸ方向に移動し、その交点で挟持されているカムフォロア８Ａ，８Ｂと一体に、レンズ保持枠９Ａ，９Ｂ及びレンズＬＡ，ＬＢも光軸ＡＸ方向に移動する。したがって、第１，第２回転筒１，２を回転させることによって、撮像ズームレンズＬＮの焦点位置を変化させること（すなわちフォーカシング）が可能である。
【００２５】
撮像ズームレンズＬＮでは、例えば、ズーム域を広角から望遠に変化させたとき、各部品の加工誤差により焦点位置が±０．２ｍｍずれる可能性がある。一方、撮像ズームレンズＬＮの像側レンズＬＢを光軸ＡＸ方向に１ｍｍ移動させると、広角側と望遠側の焦点位置の差が０．８ｍｍ変化する。したがって、変倍時の焦点位置のズレを補正するためには、像側レンズＬＢの相対位置を±０．２５ｍｍ以上移動可能に構成することが好ましい。
【００２６】
焦点補正機構Ｃ１は、図２に示すように、補正筒４，回転防止ピン６等で構成されている。補正筒４は、第１，第２回転筒１，２の外側からの操作が可能な筒形状を成しており、第１，第２回転筒１，２間で光軸ＡＸと同軸上に配置されている。棒状の回転防止ピン６は、第１，第２回転筒１，２が相対的に回転しないように、第１，第２回転筒１，２間に配置されている。補正筒４と第１，第２回転筒１，２とは、後述するねじ構造によりそれぞれ連動する構成になっているので、焦点補正機構Ｃ１によれば、第１，第２回転筒１，２を、相対的に回転させることなく、かつ、光軸ＡＸ方向に相対的に移動させることが可能である。
【００２７】
前述したように、フォーカス群ＧｒＦを移動させるカム筒は、第１回転筒１と第２回転筒２との２つに分割されており、レンズ保持枠９Ａ，９Ｂのカムフォロア８Ａ，８Ｂは、固定筒３の直進溝３Ｖと、第１，第２回転筒１，２のカム溝１Ｖ，２Ｖと、でそれぞれ挟持されている。その第１，第２回転筒１，２間に配置されている補正筒４の内周には、光軸ＡＸ方向の両側部分にヘリコイドねじ４ａ，４ｂが形成されており、第１，第２回転筒１，２の外周に形成されているヘリコイドねじ１ａ，２ａとそれぞれ螺合している。ただし、第２回転筒２のヘリコイドねじ２ａと螺合しているヘリコイドねじ４ｂは逆ねじに形成されている。
【００２８】
第１，第２回転筒１，２の相対する端面には、それぞれ円周上に光軸ＡＸと並行に３つの穴１ｈ，２ｈが形成されている。回転防止ピン６は、一端側で第１回転筒１の穴１ｈに対して締まり嵌めで挿入されており、他端側で第２回転筒２の穴２ｈに対して略嵌合し、かつ、光軸ＡＸ方向に１．０ｍｍ以上の余裕がある状態で挿入されている。このように設けられた回転防止ピン６によって、第１，第２回転筒１，２は円周方向に相対的に回転することなく、かつ、光軸ＡＸ方向に相対的に移動することが可能となっている。
【００２９】
第１回転筒１は、固定筒３に配置されているストップピン７によって、光軸ＡＸ方向に移動が規制されており、固定筒３に沿って円周方向に回転することのみが可能に構成されている（ただし、無限遠と最近接での回転位置は規制される。）。第１回転筒１を固定しながら補正筒４を回転させると、ヘリコイドねじ１ａ，２ａ，４ａ，４ｂから成るねじ構造によって、第１回転筒１を基準とする第２回転筒２の位置（第１，第２回転筒１，２間隔）が変化する。つまり、カム筒である第１，第２回転筒１，２を回転させることなく、フォーカス群ＧｒＦにおけるレンズＬＡ，ＬＢ間隔を変化させることができる。この構成により、組立後にフォーカス群ＧｒＦをばらすことなく、像側レンズＬＢの相対位置を変化させることができ、かつ、±０．２５ｍｍ以上移動可能に構成したことによって、変倍時の焦点位置のズレを補正することができる。
【００３０】
上記焦点位置補正の後、第１回転筒１のヘリコイドねじ１ａと補正筒４のヘリコイドねじ４ａとの螺合部、及び第２回転筒２のヘリコイドねじ２ａと補正筒４のヘリコイドねじ４ｂとの螺合部を、接着剤で固着する。さらに、第１，第２回転筒１，２の外周にフォーカス環５（図１）を装着し、第１回転筒１と連結させる。カム溝１Ｖ，２Ｖが非線形に形成されている場合でも、フォーカス環５を回転させて所定のフォーカス指標に合わすことにより、フォーカス群ＧｒＦを適切な位置に移動させることができる。
【００３１】
焦点補正機構Ｃ１を備えたレンズユニットＵ１は、前述したように、カム溝１Ｖ，２Ｖを有する第１，第２回転筒１，２が固定筒３の外周面に沿って回動可能に支持されており、焦点補正機構Ｃ１を用いて、第１，第２回転筒１，２を相対的に回転させることなく、かつ、光軸ＡＸ方向に相対的に移動させる構成になっている。この構成により、光軸ＡＸ方向に移動するレンズ保持枠９Ａ，９Ｂの光軸ＡＸ上の相対位置を、第１，第２回転筒１，２の相対的な回転無しに変更することができる。このため、レンズユニットＵ１の組立後にフォーカス群ＧｒＦを分解しなくても物体側レンズＬＡと像側レンズＬＢとの間隔を変更することができ、変倍時の像点位置ズレを調整することができる。したがって、変倍時の像点位置ズレを簡単かつコンパクトな構成で容易に調整することが可能である。また、インナーフォーカス方式を採用した撮像ズームレンズＬＮに前記焦点補正機構Ｃ１を備えることにより、ユニット組立時の調整の簡易化と高精度化・高解像度化との両立が可能となる。
【００３２】
焦点補正機構Ｃ１として、第１，第２回転筒１，２のヘリコイドねじ１ａ，２ａと螺合するヘリコイドねじ４ａ，４ｂを光軸ＡＸ方向の両側に有する補正筒４と、第１，第２回転筒１，２が相対的に回転しないように第１，第２回転筒１，２間に配置された回転防止ピン６と、を備えた構成になっているため、第１，第２回転筒１，２は円周方向にのみ相対的な回転が規制され、第１，第２回転筒１，２に対する補正筒４の光軸ＡＸ中心の回転によって、第１，第２回転筒１，２の光軸ＡＸ方向の相対位置を変更することが可能となる。ねじ構造をヘリコイドねじ１ａ，２ａ，４ａ，４ｂで構成しているため、第１，第２回転筒１，２が相対移動する際の直進性を確保することができる。また、回転防止部材として棒状の回転防止ピン６を用いているため、第１，第２回転筒１，２の相対的な回転を効果的に抑えながら、光軸ＡＸ方向の相対的な移動を円滑に行うことができる。
【００３３】
〈第２の実施の形態（図３，図４）〉
図３及び図４に、第２の実施の形態のレンズユニットＵ２及び焦点補正機構Ｃ２を示す。図３は、レンズ系として撮像ズームレンズＬＮが搭載されたレンズユニットＵ２の概略断面構造を示しており、図４は、レンズユニットＵ２において焦点補正機構Ｃ２が搭載されている部分を拡大して示している。
【００３４】
図３に示すレンズユニットＵ２は、撮像ズームレンズＬＮ，第１回転筒１，第２回転筒２，固定筒３，フォーカス環５，レンズ保持枠９Ａ，９Ｂ，焦点補正機構Ｃ２等を備えている。複数のレンズから成る撮像ズームレンズＬＮは、複数のレンズ群をズーム群（移動群及び固定群）として有している。撮像ズームレンズＬＮを構成しているレンズのうち、物体側から３枚目と４枚目のレンズＬＡ，ＬＢがズーム群としての第２群を構成しており、その第２群がフォーカス群ＧｒＦとして光軸ＡＸに沿って移動することによりフォーカシングが行われる。
【００３５】
フォーカス群ＧｒＦ及び後続の複数のズーム群は、固定筒３の内周側に配置されている。固定筒３には、図４に示すように、光軸ＡＸ方向に沿って直進溝３Ｖが形成されている。固定筒３の外周上には、固定筒３の外周面に沿って回動可能に支持された第１回転筒１及び第２回転筒２がカム筒として配置されており、第１回転筒１及び第２回転筒２には、周面にカム溝１Ｖ，２Ｖが非線形に形成されている。
【００３６】
フォーカス群ＧｒＦを構成している物体側レンズＬＡと像側レンズＬＢのうち、物体側レンズＬＡはレンズ保持枠９Ａに保持されており、像側レンズＬＢはレンズ保持枠９Ｂに保持されている。レンズ保持枠９Ａ，９Ｂの円周３等分位置には、光軸ＡＸに対して垂直方向に突き出たカムフォロア８Ａ，８Ｂがそれぞれ設けられている。これらのカムフォロア８Ａ，８Ｂは、固定筒３の直進溝３Ｖと第１，第２回転筒１，２のカム溝１Ｖ，２Ｖとで、光軸ＡＸ方向に挟持された状態に保持されている。つまり、レンズ保持枠９Ａ，９Ｂとそれに保持されている物体側レンズＬＡ及び像側レンズＬＢは、直進溝３Ｖとカム溝１Ｖ，２Ｖとで保持されている。
【００３７】
図３に示すように、第１，第２回転筒１，２の外周に連結されているフォーカス環（カム環）５を光軸ＡＸ中心に回転させると、直進溝３Ｖとカム溝１Ｖ，２Ｖとの交点が光軸ＡＸ方向に移動し、その交点で挟持されているカムフォロア８Ａ，８Ｂと一体に、レンズ保持枠９Ａ，９Ｂ及びレンズＬＡ，ＬＢも光軸ＡＸ方向に移動する。したがって、第１，第２回転筒１，２を回転させることによって、撮像ズームレンズＬＮの焦点位置を変化させること（すなわちフォーカシング）が可能である。
【００３８】
撮像ズームレンズＬＮでは、例えば、ズーム域を広角から望遠に変化させたとき、各部品の加工誤差により焦点位置が±０．２ｍｍずれる可能性がある。一方、撮像ズームレンズＬＮの像側レンズＬＢを光軸ＡＸ方向に１ｍｍ移動させると、広角側と望遠側の焦点位置の差が０．８ｍｍ変化する。したがって、変倍時の焦点位置のズレを補正するためには、像側レンズＬＢの相対位置を±０．２５ｍｍ以上移動可能に構成することが好ましい。
【００３９】
焦点補正機構Ｃ２は、図４に示すように、調整ねじ１０，歯車操作環１１，引っ張りコイルバネ１２等で構成されている。調整ねじ１０は、第１，第２回転筒１，２の外側からの操作が可能であり、第１，第２回転筒１，２間において円周上に３つ配置されている。引っ張りコイルバネ１２は、第１，第２回転筒１，２を光軸ＡＸ方向に沿って互いに近づけるように付勢する付勢部材であり、第１，第２回転筒１，２間において円周上に３つ配置されている。調整ねじ１０と第１，第２回転筒１，２とは、後述するねじ構造及び支持構造によりそれぞれ連動する構成になっているので、焦点補正機構Ｃ２によれば、第１，第２回転筒１，２を、相対的に回転させることなく、かつ、光軸ＡＸ方向に相対的に移動させることが可能である。
【００４０】
前述したように、フォーカス群ＧｒＦを移動させるカム筒は、第１回転筒１と第２回転筒２との２つに分割されており、レンズ保持枠９Ａ，９Ｂのカムフォロア８Ａ，８Ｂは、固定筒３の直進溝３Ｖと、第１，第２回転筒１，２のカム溝１Ｖ，２Ｖと、でそれぞれ挟持されている。その第１，第２回転筒１，２の相対する端面には、円周３等分位置に引っ張りコイルバネ１２が係合されており、引っ張りコイルバネ１２と位相をずらした円周３等分位置に調整ねじ１０が配置されている。
【００４１】
調整ねじ１０の一方の端部にはねじ部１０ａが設けられており、第１回転筒１の端面において円周３等分位置に形成されているねじ穴Ｈ１と螺合している。調整ねじ１０の他方の端部には半球状の支持部１０ｃが設けられており、第２回転筒２の端面において円周３等分位置に形成されている凹部Ｈ２（穴でもよい）に、引っ張りコイルバネ１２で押圧された状態で支持されている。この状態で３つの調整ねじ１０を均等に回転させると、第１，第２回転筒１，２は円周方向に相対回転せず、光軸ＡＸ方向に相対移動することになる。
【００４２】
調整ねじ１０の外周面には歯車部１０ｂが形成されている。また、歯車操作環１１は、第１，第２回転筒１，２の外周上に位置するとともに光軸ＡＸ中心に回動可能に配置され、かつ、調整ねじ１０を第１，第２回転筒１，２の外側から操作可能とするために歯車部１０ｂと噛合している。したがって、調整ねじ１０の歯車部１０ｂと噛合し、光軸ＡＸ中心に回動可能な歯車操作環１１を第１，第２回転筒１，２の外周に設けていることによって、３つの調整ねじ１０を均等に回転させることが可能となる。
【００４３】
第１回転筒１は、固定筒３に配置されているストップピン７によって、光軸ＡＸ方向に移動が規制されており、固定筒３に沿って円周方向に回転することのみが可能に構成されている（ただし、無限遠と最近接での回転位置は規制される。）。第１回転筒１を固定しながら歯車操作環１１を回転させると、ねじ部１０ａ等から成るねじ構造及び支持部１０ｃ等から成る支持構造によって、第１回転筒１を基準とする第２回転筒２の位置（第１，第２回転筒１，２間隔）が変化する。つまり、カム筒である第１，第２回転筒１，２を回転させることなく、フォーカス群ＧｒＦにおけるレンズＬＡ，ＬＢ間隔を変化させることができる。この構成により、組立後にフォーカス群ＧｒＦをばらすことなく、像側レンズＬＢの相対位置を変化させることができ、かつ、±０．２５ｍｍ以上移動可能に構成したことによって、変倍時の焦点位置のズレを補正することができる。
【００４４】
上記焦点位置補正の後、第１回転筒１と歯車操作環１１、及び第２回転筒２と歯車操作環１１を、それぞれ接着剤で固着する。さらに、第１，第２回転筒１，２の外周にフォーカス環５（図３）を装着し、第１回転筒１と連結させる。カム溝１Ｖ，２Ｖが非線形に形成されている場合でも、フォーカス環５を回転させて所定のフォーカス指標に合わすことにより、フォーカス群ＧｒＦを適切な位置に移動させることができる。
【００４５】
焦点補正機構Ｃ２を備えたレンズユニットＵ２は、前述したように、カム溝１Ｖ，２Ｖを有する第１，第２回転筒１，２が固定筒３の外周面に沿って回動可能に支持されており、焦点補正機構Ｃ２を用いて、第１，第２回転筒１，２を相対的に回転させることなく、かつ、光軸ＡＸ方向に相対的に移動させる構成になっている。この構成により、光軸ＡＸ方向に移動するレンズ保持枠９Ａ，９Ｂの光軸ＡＸ上の相対位置を、第１，第２回転筒１，２の相対的な回転無しに変更することができる。このため、レンズユニットＵ２の組立後にフォーカス群ＧｒＦを分解しなくても物体側レンズＬＡと像側レンズＬＢとの間隔を変更することができ、変倍時の像点位置ズレを調整することができる。したがって、変倍時の像点位置ズレを簡単かつコンパクトな構成で容易に調整することが可能である。また、インナーフォーカス方式を採用した撮像ズームレンズＬＮに前記焦点補正機構Ｃ２を備えることにより、ユニット組立時の調整の簡易化と高精度化・高解像度化との両立が可能となる。
【００４６】
焦点補正機構Ｃ２として、ねじ部１０ａ及び支持部１０ｃを有する調整ねじ１０と、第１，第２回転筒１，２を光軸ＡＸ方向に沿って互いに近づけるように付勢する複数の引っ張りコイルバネ１２と、を備えた構成になっているため、第１，第２回転筒１，２は円周方向にのみ相対的な回転が規制され、第１，第２回転筒１，２に対する調整ねじ１０の回転によって、第１，第２回転筒１，２の光軸ＡＸ方向の相対位置を変更することが可能となる。また、調整ねじ１０の外周面に歯車部１０ｂを設けて歯車操作環１１と噛合する構成になっているため、複数の調整ねじ１０の操作を歯車操作環１１で行うことができる。したがって、操作性の向上が可能となる。
【００４７】
〈第３の実施の形態（図５）〉
図５に、第３の実施の形態を構成する焦点補正機構Ｃ３を示す。第３の実施の形態は第１の実施の形態の変形例であり、焦点補正機構Ｃ１の代わりに焦点補正機構Ｃ３を有するほかは第１の実施の形態と略同様に構成されている。第１の実施の形態では、第１回転筒１を基準として第２回転筒２が相対移動するのに対して、第３の実施の形態では、補正筒４を光軸ＡＸ方向に移動規制することにより、補正筒４に対する第１，第２回転筒１，２の間隔が変化する。
【００４８】
補正筒４の光軸ＡＸ方向の移動規制は、固定筒３に設けられているストップピン１３で行われる。補正筒４を回転させると、ヘリコイドねじ１ａ，２ａ，４ａ，４ｂから成るねじ構造によって、補正筒４を基準として前後対称に第１，第２回転筒１，２の位置（第１，第２回転筒１，２間隔）が変化する。つまり、カム筒である第１，第２回転筒１，２を回転させることなく、フォーカス群ＧｒＦにおけるレンズＬＡ，ＬＢ間隔を変化させることができる。この構成により、組立後にフォーカス群ＧｒＦをばらすことなく、像側レンズＬＢの相対位置を変化させることができ、かつ、±０．２５ｍｍ以上移動可能に構成したことによって、変倍時の焦点位置のズレを補正することができる。なお、ストップピン７は光軸ＡＸ方向の移動規制を行うことなく、円周方向の回転位置を無限遠と最近接で規制している。
【００４９】
〈第４の実施の形態（図６）〉
図６に、第４の実施の形態を構成する焦点補正機構Ｃ４を示す。第４の実施の形態は第１の実施の形態の変形例であり、焦点補正機構Ｃ１の代わりに焦点補正機構Ｃ４を有するほかは第１の実施の形態と略同様に構成されている。第１回転筒１にのみカム溝１Ｖが形成されており、カム溝が形成されていない第２回転筒２基準で、第１回転筒１に支持されているレンズ保持枠９Ａが光軸ＡＸ方向に移動する。つまり、第１の実施の形態では、第１回転筒１を基準として第２回転筒２が相対移動するのに対して、第４の実施の形態では、第２回転筒２を基準として第１回転筒１が相対移動する。第２回転筒２の光軸ＡＸ方向の移動規制は、固定筒３に設けられているストップピン１５で行われ、第２回転筒２が光軸ＡＸ方向に移動規制されることにより、第１，第２回転筒１，２の間隔が変化する。
【００５０】
〈第５の実施の形態（図７）〉
図７に、第５の実施の形態を構成する焦点補正機構Ｃ５を示す。第５の実施の形態は第２の実施の形態の変形例であり、焦点補正機構Ｃ２の代わりに焦点補正機構Ｃ５を有するほかは第２の実施の形態と略同様に構成されている。第１回転筒１にのみカム溝１Ｖが形成されており、カム溝が形成されていない第２回転筒２基準で、第１回転筒１に支持されているレンズ保持枠９Ａが光軸ＡＸ方向に移動する。つまり、第２の実施の形態では、第１回転筒１を基準として第２回転筒２が相対移動するのに対して、第５の実施の形態では、第２回転筒２を基準として第１回転筒１が相対移動する。第２回転筒２の光軸ＡＸ方向の移動規制は、固定筒３に設けられているストップピン１５で行われ、第２回転筒２が光軸ＡＸ方向に移動規制されることにより、第１，第２回転筒１，２の間隔が変化する。
【００５１】
〈第６の実施の形態（図８）〉
図８に、第６の実施の形態を構成する焦点補正機構Ｃ６を示す。第６の実施の形態は第１の実施の形態の変形例であり、焦点補正機構Ｃ１の代わりに焦点補正機構Ｃ６を有するほかは第１の実施の形態と略同様に構成されている。第１の実施の形態では、第１，第２回転筒１，２が相対的に回転しないように穴１ｈ，２ｈに回転防止ピン６を略嵌合させた構成になっているのに対して、第６の実施の形態では、第１，第２回転筒１，２が相対的に回転しないようにキー溝１Ｋ，２Ｋにキー状部材１６を差し込んだ構成になっている。回転防止部材としてキー状部材１６を用いているため、第１，第２回転筒１，２の相対的な回転を効果的に抑えながら、光軸ＡＸ方向の相対的な移動を円滑に行うことができる。
【符号の説明】
【００５２】
Ｃ１〜Ｃ６    焦点補正機構
Ｕ１，Ｕ２    レンズユニット
ＬＮ    撮像ズームレンズ（レンズ系）
ＧｒＦ    フォーカス群（レンズ群）
ＬＡ    物体側レンズ
ＬＢ    像側レンズ
１    第１回転筒（カム筒）
２    第２回転筒（カム筒）
１Ｖ，２Ｖ    カム溝
１ａ，２ａ    ヘリコイドねじ
１ｈ，２ｈ    穴
３    固定筒
３Ｖ    直進溝
４    補正筒（焦点補正機構）
４ａ，４ｂ    ヘリコイドねじ
５    フォーカス環
６    回転防止ピン（回転防止部材，焦点補正機構）
７    ストップピン
８Ａ，８Ｂ    カムフォロア
９Ａ，９Ｂ    レンズ保持枠
１０    調整ねじ（焦点補正機構）
１０ａ    ねじ部
１０ｂ    歯車部
１０ｃ    支持部
１１    歯車操作環（焦点補正機構）
Ｈ１    ねじ穴
Ｈ２    凹部
１２    引っ張りコイルバネ（付勢部材）
１３，１４，１５    ストップピン
１６    キー状部材（焦点補正機構）
１Ｋ，２Ｋ    キー溝
ＡＸ    光軸
【図１】
2012247702.tif 000003
【図２】
2012247702.tif 000004
【図３】
2012247702.tif 000005
【図４】
2012247702.tif 000006
【図５】
2012247702.tif 000007
【図６】
2012247702.tif 000008
【図７】
2012247702.tif 000009
【図８】
2012247702.tif 000010